(57)【特許請求の範囲】
【請求項１】
上端部側に位置する第１の背もたれ要素及び下端部側に位置する第２の背もたれ要素を有する背もたれと、正逆方向に回転可能であるように支持体に支持させた座とを具備し、その座を床面に対して略水平な使用位置と背もたれと略重合するように折り畳む折畳位置との間でライジング動作可能に設けており、
前記座のライジング動作を利用することにより前記背もたれの形状を変え得る形状変更機構を構成した椅子であって、
前記形状変更機構は、前記座と前記第２の背もたれ要素とを連結する第１のリンク要素と、前記支持体と前記第１の背もたれ要素とを連結する第２のリンク要素とを備え、これら座と第１、第２の背もたれ要素とを折畳位置と使用位置との間でリンク動作可能に連結しているものであり、
折畳位置において第１の背もたれ要素と第２の背もたれ要素とが略一直線状に位置づけられて背もたれの側面視形状が略一直線状となり、使用位置において第１の背もたれ要素が後上方に傾倒して背もたれの側面視形状が屈曲状態となることを特徴とする椅子。
【請求項２】
前記座が水平方向に回転したとき、座の基端部側に設けた前記第１のリンク要素が上方に持ち上げられて前記背もたれが上昇し、前記第２のリンク要素が上方に回転するとともに前記第１の背もたれ要素が後上方に屈曲して使用位置をとる一方、
前記座が起立方向に回転したとき、前記背もたれが降下し、前記第１の背もたれ要素が前記第２の背もたれ要素と側面視略一直線状となって座が背もたれの前面に重合する折畳位置をとる請求項１記載の椅子。
【請求項３】
正逆方向に回転可能であるように前記支持体に支持させた肘掛をさらに具備し、
前記肘掛は、折畳位置においてその上端が上方に回転し、使用位置において前記第２のリンク要素に押圧されて水平姿勢をとるように逆回転する請求項２記載の椅子。
【発明の詳細な説明】
【０００１】
【発明の属する技術分野】
本発明は、移動観覧席等として使用されるライジング機能を備えた椅子に関するものである。
【０００２】
【従来の技術】
近時、体育館等の館内を多目的に使用するための移動観覧席が種々開発されている。この種の移動観覧席は、例えば、高さの異なる段床の左右両端部を移動可能な走行フレームにより支持しておき、その走行フレームの進退動作によって、各段床を雛壇状に展開して各段床上に設置した椅子を使用可能な状態にしたり、各段床をそれら各前端にそれぞれ設けたフロントパネルと略面一になる位置まで退避させてコンパクトに収納することができるものとしている。
【０００３】
そして、この種の移動観覧席に使用される椅子としては、複数の支持体を所要の間隔をあけて設け、それら支持体間に座及び背もたれを設けてなるものが知られている。この椅子は、座の基端部を前記支持体に回転可能に支持させておき、席を立った場合にその座がスプリング力によって自動的に使用位置から折畳位置までライジングするようになっている。
【０００４】
ところで、このような椅子では、従来から、使用者が長時間座っても疲れない楽な姿勢を取り得るように、使用位置において使用者の背、特に腰部を背もたれによって保持できるようなホールド感ということが重要視されている。具体的には、背もたれが、着座時における人体の背骨形状に略沿った傾きとなるとともに特に腰部を良好に保持し得るように、使用者の腰部を支持するその下端部側を略鉛直方向に沿って位置させるとともに、上端部側を後上方に向かって屈曲させた形状が最適だと考えられている。
【０００５】
【発明が解決しようとする課題】
しかしながら、このように使用位置における背もたれの側面視形状を人体の背骨形状に略合致させて、その上端部側を下端部側に対して後上方に向かって屈曲させると、折畳位置で前記背もたれと座とを略重合させて薄くコンパクトに折り畳むことができず、各段床間に収納する際に、多大な収納スペースが必要となるという不具合があった。
【０００６】
このように従来の椅子では、使用位置における背もたれの良好なホールド感と、折畳位置でのコンパクト化を両立させることが困難であるという問題があった。
【０００７】
【課題を解決するための手段】
上記の問題点を解決するために、本発明は、座のライジング動作に合わせて背もたれの形状を変え得るような形状変更機構を設けることにより、折畳位置と使用位置とで背もたれがそれぞれの状況に最適な形状を取り得るように構成している。
【０００８】
【発明の実施の形態】
すなわち、本発明は、背もたれと座とを具備してなり、前記座を床面に対して略水平な使用位置と背もたれと略重合するように折り畳む折畳位置との間でライジング動作可能に設けてなるものであって、前記座のライジング動作を利用することにより前記背もたれの形状を変え得る形状変更機構を具備していることを特徴とする椅子に関するものである。
【０００９】
このような構成のものであると、座のライジング動作に合わせて背もたれの形状を使用位置と折畳位置においてそれぞれの状況に最適なものとすることが可能となる。例えば、座のライジング動作に合わせて、使用位置では、背もたれの下端部側を略鉛直方向に沿って位置させるとともに上端部側を後上方に略屈曲させて位置させて該背もたれを着座時の人体の背骨形状に略沿うような側面視形状とし、一方、折畳位置では、下端部側と上端部側とが略一直線状となるような側面視形状とすることが考えられる。このようにすれば、使用位置では、背もたれの側面視形状を着座時の人体の背骨形状に略沿ったものとして、着座時に腰部を良好にホールドして臀部だけに荷重が掛からず腰部から臀部にかけて荷重が伝わり長時間着座しても疲れにくい椅子を使用者に提供することができる。一方、折畳位置では、背もたれの側面視形状が、略一直線状となるようにすれば、座と背もたれとを薄く折り畳むことができ、移動観覧席等の折畳状態で収納スペースに収納する必要があるものに利用した場合に、非常にコンパクトな収納が可能となる。
【００１０】
折畳位置におけるコンパクトさと、使用位置における良好なホールド感とを両立させ得るには、形状変更機構が、折畳位置において背もたれの側面視形状が略一直線状となるようにするとともに、使用位置において屈曲状態となるように座のライジング動作を利用して背もたれを変形させるものであることが望ましい。
【００１１】
簡単な構成で、背もたれの形状を使用位置と折畳位置とで変更し得るようにするには、背もたれが、上端部側に位置する第１の背もたれ要素と、下端部側に位置する第２の背もたれ要素とを具備してなり、前記形状変更機構が、これら第１、第２の背もたれ要素を、座のライジング動作を利用して、互いに正逆方向に回転可能に連結する回転部材を少なくとも具備していることが望ましい。
【００１２】
好適な実施の形態としては、座を正逆方向に回転可能に支持する支持体を具備してなり、前記形状変更機構が、一端を前記座に他端を第２の背もたれ要素の下端部に正逆方向に回転可能に取り付けている第１のリンク要素と、一端を前記支持体に他端を第１の背もたれ要素に正逆方向に回転可能に取り付けている第２のリンク要素とを具備してなり、これら座と第1、第２の背もたれ要素とを第1、第２のリンク要素と回転部材を介して使用位置と折畳位置との間でリンク動作可能に連結しているものが挙げられる。
【００１３】
【実施例】
以下、本発明の一実施例について図面を参照して説明する。
【００１４】
この椅子１は、移動観覧席等に利用されるもので、図１〜図５に示すように、床上所定高さ位置に保持されたビームパイプ２上に、複数の支持体３を椅子幅方向に所定の間隔をあけて設け、それら各支持体３間に、座４及び背もたれ５をそれぞれ設けている。そして、前記座４の基端部両側を支軸ｐを介して前記支持体３に、図２に示す使用位置Ｐから図３に示す折畳位置Ｑとの間でライジング動作可能に支持させている。前記支持体３は、図示しないボルトを用いてビームパイプ２に取り付けられたもので、その上端部にはピン軸ｒを介して肘掛６が正逆方向に回転可能に取り付けられている。
【００１５】
このような構成のものにおいて、本実施例では、座４のライジング動作を利用することにより、前記背もたれ５の形状を使用位置Ｐと折畳位置Ｑとで変更し得る形状変更機構７を具備している。この形状変更機構７は、使用位置Pにおいて背もたれ５の側面視形状が屈曲状態となるようにするとともに、折畳位置Ｑにおいてその側面視形状が略一直線状となるように、座４のライジング動作を利用して背もたれ５を変形させるものである。具体的には、背もたれ５を上端部側に位置する第１の背もたれ要素５１と、下端部側に位置する第２の背もたれ要素５２とから構成し、これら第１、第２の背もたれ要素５１、５２と、座４と、肘掛６とを第１、第２のリンク要素８、９と回転部材１０により使用位置Ｐと折畳位置Ｑとの間でリンク動作可能に連結している。
【００１６】
以下、各部の構成を具体的に説明する。
【００１７】
座４は、その基端部側の側面から突出した支軸ｐを介して、支持体３側に設けた軸受ｑに回転可能に支持されている。そして、前記支軸ｐに第１のリンクメンバ８の一端８ａ側を取り付けている。
【００１８】
背もたれ５は、例えば、ブロー成形等により作られた中空体状のもので、上端部側に位置する第１の背もたれ要素５１と、下端部側に位置する第２の背もたれ要素５２とから構成される。第１の背もたれ要素５１は、第２のリンク要素９を介して支持体３に昇降可能に保持されている。第２のリンク要素９は、両端に軸受９１、９２を備えたもので、一方の軸受９１を支持体３のピン軸ｒに回転可能に取り付けるとともに、他方の軸受９２を第１の背もたれ要素５１の側面に突出して設けたピン軸ｓに回転可能に取り付けている。そして、この第１の背もたれ要素５１は、その下端部に設けた回転部材１０を介して第２の背もたれ要素５２と互いに正逆方向に回転可能に連結されている。回転部材１０は、第１の背もたれ要素５１側に設けた軸受１０ａと、第２の背もたれ要素５２に設けてなり、前記軸受１０ａに正逆方向に回転可能に支持させた軸部１０ｂとを具備している。また、第２の背もたれ要素５２は、その下端部に設けたアーム部５２ａを前記連結ピンｔを介して前記第１のリンク要素８の他端側に回転可能に取り付けられている。
【００１９】
肘掛６は、前記ピン軸ｒを介して支持体３の上端部に正逆方向に回転可能に取り付けられた断面下向コ字形のもので、外力が作用しない場合には、上端が上昇する方向に回転するようにその重心が設定してある。そして、背もたれ５の上昇により第２のリンク要素９が上方に回転した場合に、該リンク要素９に押圧されて水平な使用位置まで回転するようになっている。
【００２０】
次に、この椅子１の作動について説明する。
【００２１】
このものは、着座することによって座４に荷重が作用した場合には、座４が図示しないスプリングの付勢力に抗して水平方向に回転し、図２及び図４に示すような使用位置Ｐに保持される。この際には、座４の基端部側に設けた第１のリンク要素８の後端部側が上昇するため背もたれ５が上方に持ち上げられるとともに、肘掛６が水平姿勢となる。そして、このとき、第２の背もたれ要素５２が略鉛直方向に沿って位置するとともに、第１の背もたれ要素５１が自重により後上方に屈曲するように設定してある。なお、本実施例では、着座者の背を良好にホールドし得る最適な位置でこの屈曲状態を保持するストッパー機構（図示せず）を設けている。
【００２２】
一方、席を立つことによって、座４に作用する荷重を解除すると、図示しないスプリングの付勢力により座４が起立方向に回転し、それに伴って背もたれ５が降下し、座４が背もたれ５の前面に重合する図３及び図５に示す折畳位置Ｑを取ることとなる。なお、かかるライジング動作は、背もたれ５に作用する重量のみならず、前記スプリングの付勢力により惹起されるものであるため、背もたれ５としてブロー成形品等の軽量なものを使用しても、座４を確実に起立させることが可能である。この時、本実施例では、第1、第２の背もたれ要素５１、５２は、背もたれ５全体の側面視形状が略一直線状となるように折り畳まれるように設定してある。
【００２３】
このような構成のものであると、座４のライジング動作に合わせて背もたれ５の形状を使用位置Ｐと折畳位置Qにおいてそれぞれの状況に最適なものとすることが可能となる。本実施例のように、使用位置Ｐでは、背もたれ５の下端部側を略鉛直方向に沿って位置させるとともに上端部側を後上方に略屈曲させて位置させて該背もたれ５を着座時の人体の背骨形状に略沿うような側面視形状とすれば、着座時に腰部を良好にホールドして臀部だけに荷重が掛からず腰部から臀部にかけて荷重が伝わり長時間着座しても疲れにくい椅子１を使用者に提供することができる。一方、折畳位置Qでは、下端部側と上端部側とが略一直線状となるような側面視形状とすれば、座４と背もたれ５とを薄く折り畳むことができ、本実施例のように移動観覧席の椅子として利用した場合に、非常にコンパクトな収納が可能となる。
【００２４】
形状変更機構７が、折畳位置Ｑにおいて背もたれ５の側面視形状が略一直線状となるようにするとともに、使用位置Pにおいて屈曲状態となるように座４のライジング動作を利用して背もたれ５を変形させるものであるので、折畳位置Qにおけるコンパクトさと、使用位置Ｐにおける良好なホールド感とを両立させることができる。
【００２５】
背もたれ５が、上端部側に位置する第１の背もたれ要素５１と、下端部側に位置する第２の背もたれ要素５２とを具備してなり、前記形状変更機構７が、これら第１、第２の背もたれ要素５１、５２を、座４のライジング動作を利用して、互いに正逆方向に回転可能に連結する回転部材１０を少なくとも具備しているので、簡単な構成で、背もたれ５の形状を使用位置Ｐと折畳位置Ｑとで変更し得るようにすることが可能である。
【００２６】
座４を正逆方向に回転可能に支持する支持体３を具備してなり、前記形状変更機構７が、一端を前記座４に他端を第２の背もたれ要素５２の下端部に正逆方向に回転可能に取り付けている第１のリンク要素８と、一端を前記支持体３に他端を第１の背もたれ要素５１に正逆方向に回転可能に取り付けている第２のリンク要素９とを具備してなり、これら座４と第1、第２の背もたれ要素５１、５２とを第1、第２のリンク要素８、９と回転部材１０を介して使用位置Ｐと折畳位置Qとの間でリンク動作可能に連結しているならば、簡単な構成で、座４のライジング動作を良好に利用して背もたれ５の形状を使用位置Ｐと折畳位置Qとで変形することが可能である。
【００２７】
なお、本発明における構成は、以上説明したものに限定されないのは勿論である。例えば、形状変更機構の構成は、上述したものに限定されないのは、勿論である。その他の構成も本発明の趣旨を逸脱しない範囲で種々変形が可能である。
【００２８】
【発明の効果】
本発明は、以上説明したような構成で実施され以下に記載されるような効果を奏する。
【００２９】
すなわち、本発明は、背もたれと座とを具備してなり、前記座を床面に対して略水平な使用位置と背もたれと略重合するように折り畳む折畳位置との間でライジング動作可能に設けてなるものであって、前記座のライジング動作を利用することにより前記背もたれの形状を変え得る形状変更機構を具備しているので、座のライジング動作に合わせて背もたれの形状を使用位置と折畳位置においてそれぞれの状況に最適なものとすることができ、例えば、使用位置での良好なホールド感と、折畳位置でのコンパクトな収納を両立し得るものを利用者に提供することが可能となる。
【００３０】
形状変更機構が、折畳位置において背もたれの側面視形状が略一直線状となるようにするとともに、使用位置において屈曲状態となるように座のライジング動作を利用して背もたれを変形させるものであるならば、折畳位置におけるコンパクトさと、使用位置における良好なホールド感とを両立させることができる。
【００３１】
背もたれが、上端部側に位置する第１の背もたれ要素と、下端部側に位置する第２の背もたれ要素とを具備してなり、前記形状変更機構が、これら第１、第２の背もたれ要素を、座のライジング動作を利用して、互いに正逆方向に回転可能に連結する回転部材を少なくとも具備しているならば、簡単な構成で、背もたれの形状を使用位置と折畳位置とで変更し得るようにすることが可能である。
【００３２】
座を正逆方向に回転可能に支持する支持体を具備してなり、前記形状変更機構が、一端を前記座に他端を第２の背もたれ要素の下端部に正逆方向に回転可能に取り付けている第１のリンク要素と、一端を前記支持体に他端を第１の背もたれ要素に正逆方向に回転可能に取り付けている第２のリンク要素とを具備してなり、これら座と第1、第２の背もたれ要素とを第1、第２のリンク要素と回転部材を介して使用位置と折畳位置との間でリンク動作可能に連結しているならば、簡単な構成で、座のライジング動作を良好に利用して背もたれの形状を使用位置と折畳位置とで変形することが可能である。
【図面の簡単な説明】
【図１】本発明の一実施例を示す正面図。
【図２】同使用位置にある椅子を示す側面図。
【図３】同折畳位置にある椅子を示す側面図。
【図４】同使用位置にある椅子を示す側面図。
【図５】同折畳位置にある椅子を示す側面図。
【符号の説明】
１…椅子
３…支持体
４…座
５…背もたれ
５１…第１の背もたれ要素
５２…第２の背もたれ要素
７…形状変更機構
８…第１のリンク要素
９…第２のリンク要素
１０…回転部材
Ｐ…使用位置
Ｑ…折畳位置
【図１】
0003790885.tif 000002
【図２】
0003790885.tif 000003
【図３】
0003790885.tif 000004
【図４】
0003790885.tif 000005
【図５】
0003790885.tif 000006